(57)【特許請求の範囲】
【請求項１】
照明器具の本体の配置面側に取り付けられる照明装置であって、
１以上の固体発光素子を有し、前記配置面に沿った方向に長尺状の発光部と、
前記発光部の長手方向の両端部の一方の端部に固定され、前記配置面に設けられた第一開口に取り付けられる第一取付部と、
前記両端部の他方の端部に固定され、前記配置面に設けられた第二開口に取り付けられる第二取付部とを備え、
前記第一取付部及び前記第二取付部は、前記発光部の、前記長手方向と交差する方向の側方に固定されており、
前記第一取付部は、
前記第一開口を介して供給される電力を受け取る受電部と、
前記受電部と電気的に接続され、前記発光部に発光のための電力を供給する第一駆動回路とを有する
照明装置。
【請求項２】
前記第一取付部及び前記第二取付部は、前記発光部の、前記照明装置が前記照明器具の本体に取り付けられた場合における前記配置面側に固定されている
請求項１記載の照明装置。
【請求項３】
前記受電部は、前記第一開口から引き出された電線と電気的に接続されることで、前記第一開口を介して供給される電力を受け取る
請求項１または２に記載の照明装置。
【請求項４】
前記第一取付部は、
組み合わされることで前記第一駆動回路を収容する空間を形成する、第一収容部及び第二収容部と、
組み合わされた状態の前記第一収容部及び前記第二収容部を、前記第一開口に取り付ける取付部材とを有し、
前記取付部材は、前記第二収容部を支持する支持部、及び、前記支持部に支持された前記第二収容部と前記配置面との間に前記第一収容部が挟まれた状態で前記第一開口に掛止する爪部を含む
請求項１〜３のいずれか一項に記載の照明装置。
【請求項５】
前記第二取付部は、前記発光部に発光のための電力を供給する第二駆動回路を有し、
前記発光部は、それぞれが１以上の前記固体発光素子を有する２つの発光モジュールであって、一方が前記第一駆動回路からの電力によって発光し、他方が前記第二駆動回路からの電力によって発光する２つの発光モジュールを有する
請求項１〜４のいずれか一項に記載の照明装置。
【請求項６】
前記発光部は、長尺状の筐体と、前記筐体に収容された、１以上の前記固体発光素子を有する発光モジュールとを備える
請求項１〜４のいずれか１項に記載の照明装置。
【請求項７】
前記筐体は、金属製かつ長尺状の基台と、前記基台に配置された前記発光モジュールを覆うように設けられた、透光性を有するカバー部材とを含む
請求項６記載の照明装置。
【請求項８】
前記筐体は、内部に前記発光モジュールを収容する空間が形成された管状部材を有する
請求項６記載の照明装置。
【請求項９】
前記発光モジュールは、１以上の前記固体発光素子が実装された長尺状の基板を有し、
前記筐体には、２つの前記発光モジュールが収容されており、
２つの前記発光モジュールは、各々の長手方向が平行となるように前記長手方向と交差する方向に並べられ、かつ、各々の前記基板が互いに平行とならない姿勢で、前記筐体の内部に配置されている
請求項８記載の照明装置。
【請求項１０】
前記筐体は、長手方向の一方の端部から他方の端部までの間の全域において、前記発光モジュールからの光を外部に放出する透光性を有している
請求項６〜９のいずれか１項に記載の照明装置。
【請求項１１】
さらに、前記第一取付部及び前記第二取付部のいずれか一方に配置された、前記照明装置の周囲の状態を検知するセンサを有し、前記センサによる検知結果に応じて、前記発光部に流れる電流が制御される
請求項１〜１０のいずれか１項に記載の照明装置。
【請求項１２】
さらに、前記第一取付部及び前記第二取付部のいずれか一方に配置された、前記照明装置の動作を制御するための信号を受信する受信機を有し、前記受信機が受信した信号に応じて、前記発光部に流れる電流が制御される
請求項１〜１１のいずれか１項に記載の照明装置。
【請求項１３】
前記受電部は、速結端子である
請求項１〜１２のいずれか１項に記載の照明装置。
【請求項１４】
前記第一取付部は、前記第一開口に掛止することで、前記第一開口に取り付けられ、
前記第二取付部は、前記第二開口に掛止することで、前記第二開口に取り付けられる
請求項１〜１３のいずれか１項に記載の照明装置。
【請求項１５】
前記第一取付部は、弾性変形することで前記第一開口に挿入される爪部を有し、前記爪部が前記第一開口に掛止することで、前記第一開口に取り付けられる
請求項１４記載の照明装置。
【発明の詳細な説明】
【技術分野】
【０００１】
本発明は、照明器具の本体に取り付けるための取付部を備える照明装置に関する。
【背景技術】
【０００２】
近年、ＬＥＤ等の固体発光素子は、高効率及び長寿命であることから、各種ランプの新しい光源として期待されており、ＬＥＤを光源とするＬＥＤランプの研究開発が進められている。
【０００３】
このようなＬＥＤランプの一つとして、直管形のＬＥＤランプ（直管形ＬＥＤランプ）がある。直管形ＬＥＤランプは、例えば、長尺状のガラス管と、ガラス管に収容された、複数のＬＥＤを有するＬＥＤモジュール（発光モジュール）とを備える。
【０００４】
例えば、特許文献１には、従来の直管形ＬＥＤランプが開示されている。
【先行技術文献】
【特許文献】
【０００５】
【特許文献１】特開２００９−０４３４４７号公報
【発明の概要】
【発明が解決しようとする課題】
【０００６】
直管形ＬＥＤランプは、例えば従来の直管形蛍光ランプ（以下、単に「蛍光ランプ」という。）の代替品として用いられる。この場合、蛍光ランプが取り付けられていた照明器具の本体（以下、「器具本体」という。）に、直管形ＬＥＤランプを取り付ける必要がある。
【０００７】
そこで、例えば、上記特許文献１のように、器具本体が備えるソケットに挿入される２つのピンを有する口金を、直管形ＬＥＤランプの両端に取り付けることが考えられる。
【０００８】
しかしながらこの場合、これらソケット及び口金は、蛍光ランプ用に設計された構造である。そのため、例えば、直管形ＬＥＤランプへの給電方式として片側給電方式を採用する場合、口金の２つのピンの間の距離は、蛍光ランプ用のソケットの仕様によって決定され、その結果、給電側のソケット及び口金における絶縁距離についての問題が生じ得る。
【０００９】
本発明は、上記従来の課題を考慮し、固体発光素子を光源として有する照明装置であって、照明器具の本体への取り付けが容易な照明装置を提供することを目的とする。
【課題を解決するための手段】
【００１０】
本発明の一態様に係る照明装置は、照明器具の本体の配置面側に取り付けられる照明装置であって、１以上の固体発光素子を有し、前記配置面に沿った方向に長尺状の発光部と、前記発光部の長手方向の両端部の一方の端部に固定され、前記配置面に設けられた第一開口に取り付けられる第一取付部と、前記両端部の他方の端部に固定され、前記配置面に設けられた第二開口に取り付けられる第二取付部とを備え、前記第一取付部及び前記第二取付部は、前記発光部の、前記長手方向と交差する方向の側方に固定されており、前記第一取付部は、前記第一開口を介して供給される電力を受け取る受電部を有する。
【発明の効果】
【００１１】
本発明によれば、固体発光素子を光源として有し、かつ、照明器具の本体への取り付けが容易な照明装置を提供することができる。
【図面の簡単な説明】
【００１２】
【図１】実施の形態１に係る照明器具の外観を示す斜視図
【図２】実施の形態１に係る照明器具を、器具本体と照明装置とに分離した状態で示す斜視図
【図３】実施の形態１に係る発光部の断面図
【図４】実施の形態１に係る第一取付部及び第二取付部の外観を示す斜視図
【図５】実施の形態１に係る照明装置の器具本体への取付構造を示す図
【図６】実施の形態１に係る第一取付部の分解斜視図
【図７】実施の形態１に係る照明装置における配線例を示すブロック図
【図８】実施の形態１の変形例１に係る照明装置における配線例を示すブロック図
【図９】実施の形態１の変形例１に係る２つの発光モジュールの配置例を示す図
【図１０】実施の形態１の変形例２に係る照明装置の特徴的な部分を示す斜視図
【図１１】図１０に示す照明装置を複数備える照明システムの概要を示す図
【図１２Ａ】実施の形態１の変形例３に係る照明装置の構成概要を示す下面図
【図１２Ｂ】実施の形態１の変形例３に係る照明装置における配線例を示すブロック図
【図１３Ａ】実施の形態１の変形例４に係る照明装置の構成概要を示す下面図
【図１３Ｂ】実施の形態１の変形例４に係る照明装置における配線例を示すブロック図
【図１４Ａ】実施の形態１の変形例５に係る照明装置の特徴的な部分を示す斜視図
【図１４Ｂ】実施の形態１の変形例５に係る爪部と器具本体との構造的な関係を示す断面図
【図１５】実施の形態１の変形例６に係る第一取付部及び第二取付部の外観を示す斜視図
【図１６】実施の形態２に係る照明器具の外観を示す斜視図
【図１７】実施の形態２に照明器具を、器具本体と照明装置とに分離した状態で示す斜視図
【図１８】実施の形態２に係る発光部及び第一取付部の断面図
【図１９】実施の形態２の変形例に係る第一取付部の分解斜視図
【図２０】実施の形態２の変形例に係る第一取付部の内部構造を示す図
【発明を実施するための形態】
【００１３】
以下、実施の形態に係る照明装置について、図面を参照しながら説明する。なお、以下に説明する各実施の形態は、本発明の一具体例を示すものである。したがって、以下の各実施の形態で示される、数値、形状、材料、構成要素、構成要素の配置位置及び接続形態などは、一例であって本発明を限定する主旨ではない。よって、以下の各実施の形態における構成要素のうち、本発明の最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付し、重複する説明は省略または簡略化される場合がある。
【００１５】
（実施の形態１）
［照明装置の概要］
まず、本発明の実施の形態１に係る照明装置１００の概要について、図１〜図３を用いて説明する。
【００１６】
図１は、実施の形態１に係る照明器具１０の外観を示す斜視図である。
【００１７】
図２は、実施の形態１に係る照明器具１０を、器具本体５０と照明装置１００とに分離した状態で示す斜視図である。
【００１８】
図３は、実施の形態１に係る発光部１５０の断面図である。具体的には、図３では、図２におけるＡ−Ａ断面に加えて、発光素子２２の拡大斜視図が図示されている。
【００１９】
なお、図１〜図３において、発光部１５０からの光が下方に放出される姿勢で照明器具１０または発光部１５０が図示されている。また、説明の便宜上、上下方向とＺ軸方向とが一致し、照明器具１０（照明装置１００）の長手方向とＸ軸方向とが一致するように照明器具１０が図示されている。しかし、照明器具１０の使用時の姿勢は、これらの図に限定されない。例えば、照明器具１０（照明装置１００）の長手方向が水平方向に対して傾いた姿勢で照明器具１０が壁または支柱等に固定されてもよい。このことは、後述する実施の形態２に係る照明器具１１でも同じである。
【００２０】
図１及び図２に示すように、本実施の形態に係る照明器具１０は、器具本体５０と、器具本体５０に取り付けられた照明装置１００とを備える。照明器具１０は、例えば、屋内の天井面に配置され、下方の空間を照らすための照明として使用される。
【００２１】
器具本体５０は、照明器具１０の本体であり、例えば蛍光ランプが取り付けられていた器具本体から、長手方向の両端部に配置されていたソケットを取り外したものである。
【００２２】
本実施の形態では、器具本体５０は、Ｇ１３口金に対応した２つのソケットを有する一般的な蛍光ランプ用の器具本体からこれらソケットを取り外すことで得られている。そのため、器具本体５０は、元々は、ソケットが内方から外方に向けて突出する状態で取り付けられていた２つの開口を有している。
【００２３】
より詳細には、図２に示すように、器具本体５０の配置面５１には、第一開口５５と第二開口５６とが設けられている。
【００２４】
照明装置１００は、器具本体５０の配置面５１側に取り付けられる照明装置である。照明装置１００は、配置面５１に沿った方向に長尺状の発光部１５０を有する。発光部１５０は、１以上の固体発光素子を有する。なお、発光部１５０は、第一開口５５と第二開口５６とを結ぶ方向に長尺状である、と表現することもできる。
【００２５】
発光部１５０は、長尺状の管状部材１５１と、管状部材１５１に収容された発光モジュール２０とを備える。管状部材１５１は、発光モジュール２０を収容する長尺状の筐体の少なくとも一部を構成する部材であり、本実施の形態では、ガラス管が管状部材１５１として採用されている。
【００２６】
なお、図１等において、管状部材１５１の内部の発光モジュール２０を図示するために、管状部材１５１を透明な部材として図示しているが、管状部材１５１は透明である必要はない。例えば、管状部材１５１において、白色顔料等を透明なガラス管の内面または外面に塗布することによって乳白色の光拡散膜が形成されていてもよい。
【００２７】
また、シリカまたは炭酸カルシウム等の光拡散材を含有する樹脂によって管状部材１５１が形成されていてもよい。管状部材１５１の素材として採用される樹脂としては、アクリル（ＰＭＭＡ）及びポリカーボネート（ＰＣ）が例示される。
【００２８】
このように、発光部１５０を、筐体と、筐体に収容されたＬＥＤモジュールとによって実現することで、例えば、ＬＥＤモジュールの発光色と、筐体の特性（筐体の素材、色、または、光拡散機能もしくは波長変換機能の有無など）との組み合わせによって多彩な照明光を得ることができる。
【００２９】
発光モジュール２０は、長尺状の基板２１と、基板２１に実装された複数の発光素子２２とを有する。本実施の形態では、発光モジュール２０は、固体発光素子の一例である表面実装（ＳＭＤ：Ｓｕｒｆａｃｅ  Ｍｏｕｎｔ  Ｄｅｖｉｃｅ）型ＬＥＤ素子を、発光素子２２として有している。つまり、本実施の形態に係る照明装置１００は、直管形ＬＥＤランプの一種である。
【００３０】
基板２１は、熱伝導性が高い素材で構成することが好ましく、例えば、アルミナ等のセラミックからなるセラミック基板、または、絶縁被覆された金属板からなるメタルベース基板等が、基板２１として採用される。
【００３１】
なお、基板２１の種類はセラミック基板及びメタルベース基板に限定されず、樹脂基板を含む各種の基板の中から任意に選択可能である。また、基板２１は、物理的に１枚の基板でなくてもよく、例えば、複数枚の基板が、発光部１５０の長手方向（Ｘ軸方向）に並べて配置されることで形成されてもよい。
【００３２】
発光モジュール２０は、例えば、基板２１の裏面（発光素子２２が実装されている面とは反対側の面）の数箇所に塗布された接着剤（図示せず）によって、管状部材１５１の内面に固定される。なお、発光モジュール２０の固定方法に特に限定はなく、例えば、管状部材１５１の内面に当接する環状の部品を１以上用いて、発光モジュール２０を管状部材１５１に固定してもよい。
【００３３】
また、例えば、基板２１の裏面に配置されたヒートシンクを介して、発光モジュール２０を管状部材１５１に固定してもよい。
【００３４】
発光素子２２は、本実施の形態では、上述のようにＳＭＤ型ＬＥＤ素子であり、図３に示すように、容器２２ａと、容器２２ａ内に実装されたＬＥＤチップ２２ｂと、ＬＥＤチップ２２ｂからの光の波長を変換する波長変換材を含む封止部材２２ｃとを有する。
【００３５】
本実施の形態では、ＬＥＤチップ２２ｂとして、例えば青色光を発する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が採用される。この場合、白色光を得るために、例えばイットリウム・アルミニウム・ガーネット（ＹＡＧ）系の黄色蛍光体粒子が波長変換材として採用される。
【００３６】
このように、発光部１５０は複数のＬＥＤを光源として有しており、発光部１５０の長手方向の両端部には、照明装置１００を器具本体５０に取り付けるための取付部が固定されている。
【００３７】
具体的には、図１及び図２に示すように、照明装置１００は、発光部１５０の長手方向の両端部の一方の端部に固定された第一取付部１１０と、他方の端部に固定された第二取付部１２０とを備える。
【００３８】
第一取付部１１０及び第二取付部１２０は、発光部１５０の、長手方向（Ｘ軸方向）と交差する方向の側方に固定されている。本実施の形態では、第一取付部１１０及び第二取付部１２０は、発光部１５０の、照明装置１００が器具本体５０に取り付けられた場合における配置面５１の側（Ｚ軸正側）に固定されている。
【００３９】
つまり、照明装置１００が器具本体５０に取り付けられた場合、第一取付部１１０及び第二取付部１２０は、発光部１５０と器具本体５０との間に位置する。
【００４０】
これにより、例えば、発光部１５０を、第一開口５５と第二開口５６とを結ぶ直線に平行な姿勢であって、かつ、器具本体５０の配置面５１から所定の距離だけ浮かせた状態で配置することができる。つまり、蛍光ランプ用であった器具本体５０に適した位置及び姿勢で、直管形ＬＥＤランプである照明装置１００が、器具本体５０に取り付けられる。
【００４１】
また、第一取付部１１０は、器具本体５０の配置面５１に設けられた第一開口５５に取り付けられる。第二取付部１２０は、器具本体５０の配置面５１に設けられた第二開口５６に取り付けられる。
【００４２】
本実施の形態では、第一取付部１１０は第一開口５５に掛止することで、第一開口５５に取り付けられ、第二取付部１２０は、第二開口５６に掛止することで、第二開口５６に取り付けられる。なお、本明細書において、「掛止」とは、引っ掛けて固定されることを意味する。
【００４３】
具体的には、第一取付部１１０は第一開口５５に掛止するための爪部１１５を有しており、第二取付部１２０は第二開口５６に掛止するための爪部１２５を有している。つまり、ネジ等の固定用の別部品を用いることなく、照明装置１００を器具本体５０に取り付けることが可能である。
【００４４】
また、本実施の形態では、第一取付部１１０は、第一開口５５を介して供給される電力を受け取る受電部を有している。本実施の形態では、受電部は、第一開口５５から引き出された電線６０と電気的に接続されることで、第一開口５５を介して供給される電力を受け取る。第一取付部１１０及び第二取付部１２０の詳細については、図４〜図６を用いて後述する。
【００４５】
なお、本実施の形態において、器具本体５０は、上述のように、蛍光ランプを点灯させるための箱体であり、内部には、例えばインバータ式の安定器が備えられている。この場合、例えば商用電源をこの安定器に供給する一対の電線を安定器から外すことで、当該一対の電線を、照明装置１００に電力を供給する一対の電線６０として用いることができる。なお、この場合、インバータ式の安定器は、器具本体５０から取り外してもよく、器具本体５０の内部に残したままであってもよい。
【００４６】
このように、本実施の形態に係る照明装置１００は、器具本体５０が備える、２つのソケットの取り外しにより露出した２つの開口（５５、５６）を利用して、器具本体５０との機械的及び電気的な接続を行うことができる。
【００４７】
以下、照明装置１００が備える取付部（１１０、１２０）及びその周辺の構造の説明を中心に、照明装置１００の特徴について図４〜図７を参照して説明する。
【００４８】
［取付部及びその周辺の構造］
図４は、実施の形態１に係る第一取付部１１０及び第二取付部１２０の外観を示す斜視図である。
【００４９】
図５は、実施の形態１に係る照明装置１００の器具本体５０への取付構造を示す図である。なお、図５では、当該取付構造を明確に図示するために器具本体５０は断面図で表されており、照明装置１００は側面図で表されている。
【００５０】
図６は、実施の形態１に係る第一取付部１１０の分解斜視図である。なお、図６では、発光部１５０の図示は省略している。
【００５１】
第一取付部１１０及び第二取付部１２０は、例えばポリブチレンテレフタレート（ＰＢＴ）等の絶縁性樹脂で形成されており、後述する駆動回路またはセンサ等の電子機器を収容することができる内部空間を有している。
【００５２】
第一取付部１１０は、弾性変形することで第一開口５５に挿入される爪部１１５を有し、爪部１１５が第一開口５５に掛止することで、第一開口５５に取り付けられる。本実施の形態では、図４〜図６に示すように、第一取付部１１０は、発光部１５０とは反対側の面に２つの爪部１１５を有する。
【００５３】
また、本実施の形態では、第二取付部１２０も同様に、２つの爪部１２５を有し、２つの爪部１２５のそれぞれは、弾性変形することで第二開口５６に挿入され、第二開口５６に掛止する。これにより、第二取付部１２０が第二開口５６に取り付けられる。
【００５４】
このように、第一取付部１１０及び第二取付部１２０が、対応する開口（５５または５６）に取り付けられることで、図５に示すように、照明装置１００が、器具本体５０に取り付けられる。
【００５５】
具体的には、爪部１１５及び爪部１２５の位置を第一開口５５及び第二開口５６の位置に合わせ、その状態で照明装置１００を器具本体５０に押し当てるように移動させる。このような作業で、容易に照明装置１００を器具本体５０に取り付けることができる。
【００５６】
また、この取り付け作業の前に、第一開口５５から引き出された一対の電線６０のそれぞれが、第一取付部１１０に設けられた電線孔１１１ａ（図４、図６参照）に挿入され、第一取付部１１０が有する受電部２０５に接続される。これにより、第一取付部１１０が有する受電部２０５は、第一開口５５を介して供給される電力を受け取ることができる。
【００５７】
すなわち、本実施の形態では、蛍光ランプ用のソケットを配置するために元々存在していた開口（５５、５６）を利用して、照明装置１００の器具本体５０への取り付けと、照明装置１００への電力供給のための配線とが行われている。そのため、器具本体５０に、照明装置１００の固定または配線のための孔あけ等の加工を施す必要がない。
【００５８】
また、第一取付部１１０はさらに、受電部２０５と電気的に接続され、発光部１５０に発光のための電力を供給する駆動回路２００を有する。つまり、照明装置１００の器具本体５０への固定に用いられる第一取付部１１０が、駆動回路２００の保持または保護のための部材として機能する。このことは、例えば、照明装置１００の部品点数の削減に寄与する。
【００５９】
本実施の形態では、駆動回路２００に実装された速結端子によって、受電部２０５が実現されている。つまり、電線６０（より詳細には電線６０の端部の絶縁被覆がない部分）は、速結端子である受電部２０５に挿入されることで、受電部２０５と機械的及び電気的に接続される。そのため、電線６０と駆動回路２００との接続を容易に行うことができる。
【００６０】
駆動回路２００は、一対の受電部２０５から交流電力を受け取って直流電力に変換し、変換後の直流電力を、図示しない一対のリードを介して、発光部１５０が有する発光モジュール２０に供給する。駆動回路２００は、回路基板と、当該回路基板に実装された複数の電子部品（図示せず）とを有している。なお、第一取付部１１０に収容された駆動回路２００は、第一駆動回路の一例である。
【００６１】
図７は、実施の形態１に係る照明装置１００における配線例を示すブロック図である。
【００６２】
図７に示すように、第一取付部１１０に収容された駆動回路２００には、例えば商用電源から供給される交流電力が供給され、駆動回路２００は、発光モジュール２０に、発光のための直流電力を供給する。
【００６３】
このように、本実施の形態では、直管形ＬＥＤランプである照明装置１００に対する給電方式として片側給電方式が採用されている。また、一対の受電部２０５の構造及び位置等は、受電部２０５間の電気的な絶縁を考慮して適宜決定することができる。そのため、照明装置１００への給電のための構造についての電気的な安全性は確保される。
【００６４】
また、本実施の形態の第一取付部１１０は、駆動回路２００の第一取付部１１０への配置を容易にする構造を有している。
【００６５】
具体的には、第一取付部１１０は、組み合わされることで駆動回路２００を収容する空間を形成する、第一収容部１１１及び第二収容部１１２を有する。このように、分割された２つの箱体（第一収容部１１１及び第二収容部１１２）によって、第一取付部１１０を構成することで、例えば、駆動回路２００の第一取付部１１０の内部への収容のしやすさが確保される。
【００６６】
また、第一収容部１１１と第二収容部１１２とは、突起１１６ａと、突起１１６ａが嵌め合わされる嵌合部１１６ｂとによって結合される。
【００６７】
具体的には、図６に示すように、第二収容部１１２に４つの嵌合部１１６ｂが設けられ、第一収容部１１１に４つの突起１１６ａが設けられている。なお、図６では、第一収容部１１１の手前側（Ｙ軸負側）の面の２つの突起１１６ａが図示されているが、第一収容部１１１の奥側（Ｙ軸負側）の面にも２つの突起１１６ａが設けられている。
【００６８】
本実施の形態では、これら複数組の突起１１６ａ及び嵌合部１１６ｂの、弾性変形を伴う嵌め合いにより、第一取付部１１０が組み立てられる。
【００６９】
また、駆動回路２００の、第一取付部１１０への固定の手法に特に限定はないが、例えば、第一収容部１１１及び第二収容部１１２の少なくとも一方に設けられたネジ穴（図示せず）を利用して駆動回路２００がネジ止めされる。
【００７０】
第一取付部１１０の、発光部１５０側の面には、発光部１５０の端部に固定される固定部１１３が配置されている。
【００７１】
なお、第二収容部１１２には、駆動回路２００と発光部１５０とを接続するリード線を貫通させる孔（図示せず）が設けられている。
【００７２】
ここで、本実施の形態では、上述のように、照明装置１００に対する給電方式として片側給電が採用されており、第二取付部１２０は駆動回路等の部品を収容していない。しかし、第二取付部１２０は、第一取付部１１０と共通する構造を有している。
【００７３】
すなわち、第二取付部１２０は、第一収容部１２１と第二収容部１２２とが組み合わされることで構成されており、一対の爪部１２５が備えられた面には電線孔１２１ａが形成されている。また、第二取付部１２０の発光部１５０側の面には、発光部１５０の端部に固定される固定部１２３が設けられている。
【００７４】
このように、第一取付部１１０及び第二取付部１２０の構造は共通化されているため、同一構造の取付部を複数作製することで、複数組の第一取付部１１０と第二取付部１２０とを得ることができる。このことは、照明装置１００の生産効率及び生産コスト等の観点から有利である。
【００７５】
なお、本実施の形態において、第二取付部１２０の電線孔１２１ａは配線等に使用されないため、例えば樹脂製のシートにより塞がれてもよい。
【００７６】
ここで、例えば図４に示すように、固定部１１３及び固定部１２３のそれぞれの一部は、管状部材１５１の長手方向の端部開口を覆うように配置されており、照明装置１００において、発光モジュール２０を収容する筐体の一部を構成している。
【００７７】
また、固定部１１３及び固定部１２３それぞれの、管状部材１５１の端部を覆っている部分（保持部分）のＸ軸方向の長さは比較的に短い。例えば、管状部材１５１のＸ軸方向の全長が約１．２ｍである場合、固定部１１３及び固定部１２３それぞれにおける保持部分のＸ軸方向の長さは５ｍｍ程度である。
【００７８】
そのため、発光モジュール２０を収容する筐体は、実質的に、長手方向の一方の端部から他方の端部までの間の全域において、発光モジュール２０からの光を外部に放出する透光性を有している、ということができる。
【００７９】
すなわち、本実施の形態では、器具本体５０と照明装置１００とを機械的及び電気的に接続する取付部（１１０、１２０）が、発光部１５０の、長手方向と交差する方向の側方に固定されている。より詳細には、発光部１５０と器具本体５０の配置面５１との間に、取付部（１１０、１２０）が配置されている。
【００８０】
簡単にいうと、第一取付部１１０および第二取付部１２０のそれぞれは、発光部１５０に対して、発光部１５０の長手方向の側方に並べられていない。そのため、照明装置１００は、長手方向のほぼ全域から、下方（Ｚ軸負の方向）に向けて照明光を放出することができる。
【００８１】
従って、例えば複数の照明装置１００をＸ軸方向に隣接して並べた場合、複数の照明装置１００群によって、シームレスな照明光を擬似的に作り出すことができる。
【００８２】
また、固定部１１３及び固定部１２３のそれぞれを、例えば光透過性の高いアクリル等の樹脂で形成することで、照明装置１００の長手方向の全域から照明光を放出することも可能である。
【００８３】
なお、管状部材１５１の両端の、照明光の照射方向（取付部（１１０、１２０）とは反対側）を、固定部１１３及び固定部１２３が覆わないことで、照明装置１００の長手方向の全域から照明光を放出することも可能である。この態様については、変形例２として後述する。
【００８４】
以上説明したように、本実施の形態に係る照明装置１００は、器具本体５０の配置面５１側に取り付けられる照明装置１００であって、配置面５１に沿った方向に長尺状の発光部１５０と、発光部１５０の長手方向の両端部に固定された第一取付部１１０及び第二取付部１２０とを備える。発光部１５０は、１以上の固体発光素子（発光素子２２）を有する。
【００８５】
第一取付部１１０は、配置面５１に設けられた第一開口５５に取り付けられ、第二取付部１２０は、配置面５１に設けられた第二開口５６に取り付けられる。また、第一取付部１１０及び第二取付部１２０は、発光部１５０の、長手方向と交差する方向の側方に固定されており、第一取付部１１０は、第一開口５５を介して供給される電力を受け取る受電部２０５を有する。
【００８６】
このように、本実施の形態に係る照明装置１００は、例えば蛍光ランプ用の器具本体５０の２つのソケットを取り外すことで露出する２つの開口を利用して、器具本体５０に取り付けることができる。照明装置１００はさらに、２つの開口の少なくとも一方（本実施の形態では、第一開口５５）を介して、発光のための電力の供給を受けることができる。
【００８７】
従って、例えば既存の照明器具が備える蛍光ランプを、直管形ＬＥＤランプである照明装置１００に容易に置き換えることができる。
【００８８】
ここで、蛍光ランプ用の器具本体が備えるソケットをそのまま残し、かつ、別の固定用部品等を用いて、直管形ＬＥＤランプと器具本体とを機械的および電気的に接続することも考えられる。しかしながら、この場合、器具本体に、配線用または直管形ＬＥＤランプの固定用の孔あけ等の加工が必要となり、このことは直管形ＬＥＤランプの取り付け作業の煩雑化を招き得る。
【００８９】
この点について、本実施の形態に係る照明装置１００によれば、器具本体５０から２つのソケットを取り外すことで露出する２つの開口を利用して、器具本体５０との電気的および機械的な接続を行うことができる。そのため、例えば、器具本体５０に対する孔あけ加工等の作業を行う必要はない。
【００９０】
なお、実施の形態１に係る照明装置１００の構造は、図１〜図７によって示される構造に限定されない。そこで、照明装置１００についての各種の変形例を、実施の形態１との差分を中心に、図８〜図１５を用いて説明する。
【００９１】
（実施の形態１の変形例１）
図８は、実施の形態１の変形例１に係る照明装置１００ａにおける配線例を示すブロック図である。
【００９２】
図８に示す照明装置１００ａは、２つの発光モジュール２０と、２つの駆動回路２００とを備える点に特徴を有する。
【００９３】
具体的には、照明装置１００ａは、発光部１５０ａと、第一取付部１１０及び第二取付部１２０とを備える。第一取付部１１０及び第二取付部１２０のそれぞれには、発光部１５０ａに発光のための電力を供給する駆動回路２００が収容されている。第二取付部１２０に収容されている駆動回路２００は、第二駆動回路の一例である。
【００９４】
発光部１５０ａは、それぞれが１以上の発光素子２２を有する２つの発光モジュール２０を備える。２つの発光モジュール２０の一方は第一取付部１１０に収容された駆動回路２００からの電力によって発光し、他方の発光モジュール２０は、第二取付部１２０に収容された駆動回路２００からの電力によって発光する。
【００９５】
本変形例に係る第二取付部１２０は、第二開口５６（図２参照）を介して供給される電力を受け取る受電部２０５（図６参照）を有している。より詳細には、第二取付部１２０に収容された駆動回路２００に実装された速結端子によって受電部２０５が実現されている。また、一対の電線６０ａが第二開口５６から引き出され、一対の受電部２０５に差し込まれ、これにより、駆動回路２００と一対の電線６０ａとが機械的及び電気的に接続される。
【００９６】
なお、本変形例では、図８に示すように、２つの駆動回路２００は、一対の電線６０及び一対の６０ａによって並列に接続されているが、２つの駆動回路２００が直列に接続されていてもよい。
【００９７】
また、例えばガラス管である管状部材１５１において、２つの発光モジュール２０は、各々の長手方向が平行となるように、長手方向と交差する方向に並べられ、かつ、各々の基板２１が互いに平行とならない姿勢で、管状部材１５１の内部に配置される。
【００９８】
図９は、実施の形態１の変形例１に係る２つの発光モジュール２０の配置例を示す図である。
【００９９】
照明装置１００ａが備える筐体である管状部材１５１に、２つの発光モジュール２０を配置する場合、例えば図９の（ａ）に示すように、２つの発光モジュール２０の発光素子２２側の面が内側に向くように、２つの発光モジュール２０を傾けて配置してもよい。
【０１００】
この場合、２つの発光モジュール２０のそれぞれは、例えば、基板２１の裏面の数箇所に塗布された接着剤（図示せず）によって管状部材１５１の内面に固定される。なお、当該固定の手法に特に限定はなく、管状部材１５１の内面に当接する環状の部品を１以上用いて、２つの発光モジュール２０を、図９の（ａ）に示す姿勢で固定してもよい。
【０１０１】
また、例えば図９の（ｂ）に示すように、２つの発光モジュール２０の発光素子２２側の面が外側に向くように、２つの発光モジュール２０を傾けて配置してもよい。
【０１０２】
この場合、例えば、アルミニウム等の金属または樹脂等により形成された固定部材１５２を用いて、２つの発光モジュール２０を、図９の（ａ）に示す姿勢で固定してもよい。
【０１０３】
固定部材１５２が、アルミニウム等の、熱伝導性の高い素材で形成された場合、固定部材１５２が、２つの発光モジュール２０の放熱を促すヒートシンクとして機能する。
【０１０４】
なお、固定部材１５２は、２つの発光モジュール２０の長手方向（Ｘ軸方向）の全域と接続されていなくてもよい。例えば、２つの発光モジュール２０の長手方向において、複数の固定部材１５２が離散的に配置されていてもよい。
【０１０５】
このように、本変形例に係る照明装置１００ａは、発光モジュール２０を傾けて配置することで、複数の発光モジュール２０を管状部材１５１の内部に収容することができる。その結果、照明装置１００ａが放出する光の光束を増加させることができる。また、第一取付部１１０及び第二取付部１２０のそれぞれに駆動回路２００を収容することで、２つの発光モジュール２０に対する電力供給を効率よくまたは安定的に行うことができる。
【０１０６】
（実施の形態１の変形例２）
図１０は、実施の形態１の変形例２に係る照明装置１００ｂの特徴的な部分を示す斜視図である。
【０１０７】
図１０に示す照明装置１００ｂは、発光部１５０ｂの長手方向の端縁まで管状部材１５１ａが露出している点に特徴を有する。
【０１０８】
具体的には、照明装置１００ｂが備える発光部１５０ｂは、発光モジュール２０と、発光モジュール２０を収容する管状部材１５１ａとを有する。
【０１０９】
管状部材１５１ａは、例えば、ＰＭＭＡまたはＰＣ等の透光性を有する樹脂で形成されている。なお、管状部材１５１ａは透明であってもよく、また、透明でなくてもよい。例えば、管状部材１５１ａの素材である樹脂が、シリカまたは炭酸カルシウム等の光拡散材を含有することで、管状部材１５１ａが光拡散機能を有してもよい。
【０１１０】
管状部材１５１ａは、図１０に示すように、発光部１５０ｂの端部に固定される固定部１１３ａの形状に合わせ成形されており、管状部材１５１ａの長手方向の端縁が、固定部１１３ａの端部外周を覆うように配置されている。つまり、管状部材１５１ａの長手方向の端縁が露出した状態である。なお、管状部材１５１ａの、図１０に示す端縁とは反対側（Ｘ軸正側）の端縁も同様に露出している。
【０１１１】
つまり、導光機能を有する管状部材１５１ａが、照明装置１００ｂの端まで延びており、これにより、照明装置１００ｂは、長手方向の全域から光を放出することができる。また、照明装置１００ｂを複数並べた場合、シームレスな照明光を作り出すことも可能である。
【０１１２】
図１１は、図１０に示す照明装置１００ｂを複数備える照明システム１０５の概要を示す図である。
【０１１３】
図１１に示す照明システム１０５は、照明装置１００ｂを複数（図１１では３つ）備え、これら３つの照明装置１００ｂは、Ｘ軸方向に沿って連続して並べられている。
【０１１４】
このように、長手方向の全域から光を放出することができる照明装置１００ｂを、長手方向に繋げるように配置することで、照明システム１０５の全長Ｒにおいて、暗部のないシームレスな照明光を放出することができる。
【０１１５】
なお、これら３つの照明装置１００ｂが取り付けられる器具本体としては、３本の蛍光ランプが長手方向に並べて取り付けられていた器具本体が例示される。つまり、当該器具本体から、３組のソケットを取り外すことで露出する３組の開口を利用して、３つの照明装置１００ｂを当該器具本体に取り付けることができる。
【０１１６】
また、管状部材１５１ａの素材は樹脂に限定されず、例えばガラスであってもよい。この場合、管状部材１５１ａの露出する端縁に、例えば光透過性の高い樹脂を塗布して硬化させることで当該端縁を保護してもよい。
【０１１７】
（実施の形態１の変形例３）
図１２Ａは、実施の形態１の変形例３に係る照明装置１００ｃの構成概要を示す下面図である。
【０１１８】
図１２Ｂは、実施の形態１の変形例３に係る照明装置１００ｃにおける配線例を示すブロック図である。
【０１１９】
図１２Ａ及び図１２Ｂに示す照明装置１００ｃは、第一取付部１１０が、駆動回路２００に加え、センサ２５０を有する点に特徴を有する。
【０１２０】
センサ２５０は、照明装置１００ｃの周囲の状態を検知する機能を有しており、センサ２５０による検知結果に応じて、発光部１５０に流れる電流が制御される。なお、本変形例に係るセンサ２５０は、交流電力によって動作するための回路を備えており、駆動回路２００とセンサ２５０とは直列に接続されている。
【０１２１】
本変形例におけるセンサ２５０は、例えば、照明装置１００ｃの電源がオンである状態（発光部１５０が点灯している状態）において人間を検知しなくなった場合、駆動回路２００に流れる電流値を所定の値まで下げる。なお、当該所定の値は、センサ２５０が動作可能な電流値である。
【０１２２】
駆動回路２００は、供給される電流値が所定の値まで下げられた場合、発光部１５０への発光のための電力供給を停止する。その結果、発光部１５０が消灯する。
【０１２３】
その後、センサ２５０が人間の存在を検知した場合、センサ２５０は通常の通電状態に戻り、その結果、駆動回路２００に流れる電流値が通常の値に戻される。これにより、駆動回路２００から発光部１５０に、発光に必要な電力が供給される。
【０１２４】
なお、照明装置１００ｃの周囲の状態を検知する機能を有するセンサ２５０としては、人感センサ以外に、照明装置１００ｃの周囲の照度を検知する照度センサが例示される。この場合、センサ２５０が検知する照度が所定の値を越えた場合、駆動回路２００に流れる電流値を所定の値まで下げることで、点灯していた発光部１５０を消灯させてもよい。また、センサ２５０が検知する照度が所定の値以下になった場合、駆動回路２００に流れる電流値を通常の値に戻すことで、消灯していた発光部１５０を点灯させてもよい。
【０１２５】
また、照明装置１００ｃは、センサ２５０に代えて、照明装置１００ｃの動作を制御するための信号を受信する受信機２６０を有してもよい。この場合、受信機２６０が受信した信号に応じて、発光部１５０に流れる電流が制御されてもよい。
【０１２６】
受信機２６０は、例えば、照明装置１００ｃの電源のオン及びオフを制御するためのリモコンから、赤外線によって送信される信号を受け取る受光部を有してもよい。
【０１２７】
この場合、受信機２６０は、例えば、照明装置１００ｃの電源がオンである状態において、電源オフを示す信号をリモコンから受け取った場合、駆動回路２００に流れる電流値を所定の値まで下げる。なお、当該所定の値は、受信機２６０が動作可能な電流値である。
【０１２８】
駆動回路２００は、供給される電流値が所定の値まで下げられた場合、発光部１５０への発光のための電力供給を停止する。その結果、発光部１５０が消灯する。
【０１２９】
その後、受信機２６０が、電源オンを示す信号をリモコンから受け取った場合、受信機２６０は通常の通電状態に戻り、その結果、駆動回路２００に流れる電流値が通常の値に戻される。これにより、駆動回路２００から発光部１５０に、発光に必要な電力が供給される。
【０１３０】
なお、上記の、センサ２５０（または受信機２６０）及び駆動回路２００の電気的な接続関係及び動作は一例であり、例えば、センサ２５０（または受信機２６０）は、自身の動作に必要な電力の供給を、駆動回路２００から受けてもよい。
【０１３１】
この場合、センサ２５０は、検知結果に対応する信号を、信号線（図示せず）を介して駆動回路２００に送信し、駆動回路２００は、センサ２５０からの信号に応じて、発光部１５０への電力の供給及びその停止を制御してもよい。また、受信機２６０は、リモコンから受け取った信号に対応する信号を、信号線（図示せず）を介して駆動回路２００に送信し、駆動回路２００は、受信機２６０からの信号に応じて、発光部１５０への電力の供給及びその停止を制御してもよい。つまり、電流制御そのものは駆動回路２００が行い、その電流制御のトリガとなる制御信号を、センサ２５０または受信機２６０が駆動回路２００に与えてもよい。
【０１３２】
また、本変形例では、発光部１５０の点灯及び消灯の一方から他方への切り替えの動作について説明したが、センサ２５０による検知結果または受信機２６０が受信した信号に基づいて、発光部１５０の調光制御または調色制御が行われてもよい。
【０１３３】
本変形例に係る照明装置１００ｃには、センサ２５０または受信機２６０が備えられており、これにより、照明装置１００ｃの周囲の状態、または、外部から送信される信号に基づいて、発光部１５０の動作制御を行うことが可能である。また、センサ２５０または受信機２６０は、駆動回路２００を収容する第一取付部１１０に配置されるため、例えば、電力線または信号線の配線を単純化することができる。
【０１３４】
（実施の形態１の変形例４）
図１３Ａは、実施の形態１の変形例４に係る照明装置１００ｄの構成概要を示す下面図である。
【０１３５】
図１３Ｂは、実施の形態１の変形例４に係る照明装置１００ｄにおける配線例を示すブロック図である。
【０１３６】
図１３Ａ及び図１３Ｂに示す照明装置１００ｄは、第二取付部１２０がセンサ２５０を有する点に特徴を有する。センサ２５０は、上記変形例３で説明したように、照明装置１００ｃの周囲の状態を検知する機能を有しており、例えば、人感センサまたは照度センサ等によって実現される。
【０１３７】
第二取付部１２０に備えられたセンサ２５０は、図１２Ｂに示すように、駆動回路２００とセンサ２５０とは直列に接続されており、検知結果に応じて、発光部１５０に流れる電流が制御される。
【０１３８】
具体的な動作は、上記変形例３で説明した動作と同じである。すなわち、センサ２５０が人感センサである場合、センサ２５０は、人間の存在を検知しない状態となることで、駆動回路２００に流れる電流値を所定の値まで下げる。これにより、発光部１５０は消灯する。また、センサ２５０は、人間の存在を検知した場合、駆動回路２００に流れる電流値を通常の値まで戻す。これにより、発光部１５０は点灯する。
【０１３９】
また、センサ２５０が照度センサである場合も同様に、センサ２５０の検知結果に従って発光部１５０に流れる電流が制御され、これにより、発光部１５０の状態は、点灯及び消灯の一方から他方に切り替えられる。
【０１４０】
また、照明装置１００ｄは、センサ２５０に代えて、照明装置１００ｄの動作を制御するための信号を受信する受信機２６０を有してもよい。この点についても、上記変形例３と同じであり、受信機２６０は、例えば、リモコンから赤外線によって送信される送信される信号を受け取る受光部を有する。
【０１４１】
この場合、受信機２６０が受信する信号に従って発光部１５０に流れる電流が制御され、これにより、発光部１５０の状態は、点灯及び消灯の一方から他方に切り替えられる。
【０１４２】
また、センサ２５０または受信機２６０は、自身の動作に必要な電力の供給を駆動回路２００から受けてもよい点、電流制御そのものは駆動回路２００が行ってもよい点、及び、発光部１５０の調光制御等が行われてもよい点についても、上記変形例３と同じである。
【０１４３】
本変形例に係る照明装置１００ｄには、センサ２５０または受信機２６０が備えられており、これにより、照明装置１００ｄの周囲の状態、または、外部から送信される信号に基づいて、発光部１５０の動作制御を行うことが可能である。また、センサ２５０または受信機２６０は、駆動回路２００が収容されていない第二取付部１２０に配置される。そのため、例えば、第一取付部１１０と共通化された構造を有する第二取付部１２０の内部空間を有効に利用して、センサ２５０または受信機２６０を配置することができる。
【０１４４】
（実施の形態１の変形例５）
図１４Ａは、実施の形態１の変形例５に係る照明装置１００ｅの特徴的な部分を示す斜視図である。
【０１４５】
なお、図１４Ａにおいて、器具本体５０は、第一開口５５を含む端部のみを切断して図示し、当該端部よりも手前側（Ｘ軸正側）の部分の図示は省略している。また、第一取付部１１０の本体（駆動回路２００を収容する箱体の部分）は、第一収容部１１１と第二収容部１１２との組み合わせ（図６参照）によって構成されているが、図１４Ａでは簡易的に図示されている。
【０１４６】
図１４Ｂは、実施の形態１の変形例５に係る爪部１１７と器具本体５０との構造的な関係を示す断面図である。
【０１４７】
図１４Ａ及び図１４Ｂに示す照明装置１００ｅは、第一取付部１１０が有する爪部１１７の形状及び構造に特徴を有する。
【０１４８】
爪部１１７は、発光部１５０（照明装置１００ｅ）の長手方向（Ｘ軸方向）に交差する方向の幅を変化させることで、器具本体５０の第一開口５５に挿入され、かつ、第一開口５５に掛止することができる。
【０１４９】
具体的には、爪部１１７は、Ｙ軸方向に弾性変形する変形部１１７ａをＹ軸方向の両端に有する。また、変形部１１７ａは、図１４Ｂに示すように、第一取付部１１０の本体に近づくほど、爪部１１７におけるＹ軸方向の中心に近づくように傾いた傾斜面を有している。
【０１５０】
爪部１１７が有する一対の変形部１１７ａが第一開口５５に挿入され、復元力によって開こうとする場合、これら変形部１１７ａの傾斜面が、第一開口５５の周縁に当接することで、復元力が、第一取付部１１０の本体を、配置面５１に押し当てる力として作用する。これにより、例えば、第一取付部１１０の、器具本体５０に対するガタツキが抑制される。
【０１５１】
また、爪部１１７は、図１４Ａに示すように、一対の電線６０と接続される一対の受電部１１７ｂを有している。
【０１５２】
受電部１１７ｂは、実施の形態１に係る受電部２０５と同じく、例えば速結端子によって実現されており、受電部１１７ｂと駆動回路２００とは例えばリード線によって電気的に接続されている。
【０１５３】
つまり、一対の電線６０が、一対の受電部１１７ｂに差し込まれることで、駆動回路２００と一対の電線６０とが電気的に接続される。
【０１５４】
具体的には、例えば照明装置１００ｅを器具本体５０に取り付ける前に、第一開口５５から引き出された一対の電線６０が、一対の受電部１１７ｂに差し込まれる。その後、照明装置１００ｅが器具本体５０に取り付けられる。
【０１５５】
また、例えば、一対の電線６０に接続された一対のピンを、器具本体５０の内部の所定の位置に固定しておき、爪部１１７を、第一開口５５に挿入することで、当該一対のピンを一対の受電部１１７ｂに差し込むことも可能である。
【０１５６】
なお、図１４Ａ及び図１４Ｂでは、第二取付部１２０は図示されていないが、第二取付部１２０も、第一取付部１１０と同様に爪部１１７を有してもよい。
【０１５７】
このように、本変形例に係る照明装置１００ｅは、第一開口５５から器具本体５０の内部に挿入される爪部１１７に、電線６０と接続される受電部１１７ｂを有している。そのため、例えば、駆動回路２００に、受電部１１７ｂとしての速結端子を実装する必要がなく、これにより、駆動回路２００を比較的に小型にすることが可能である。
【０１５８】
なお、爪部１１７が受電部１１７ｂを有することは必須ではなく、爪部１１７にＺ軸方向に貫通する貫通孔を設け、この貫通孔に挿入された電線６０が、例えば駆動回路２００に実装された受電部２０５（図６参照）に接続されてもよい。
【０１５９】
（実施の形態１の変形例６）
図１５は、実施の形態１の変形例６に係る第一取付部１１０及び第二取付部１２０ａの外観を示す斜視図である。
【０１６０】
図１５に示す照明装置１００ｆは、第二取付部１２０ａが、実施の形態１に係る第二取付部１２０（図４参照）と比較すると単純な構造である点に特徴を有する。
【０１６１】
本変形例に係る第二取付部１２０ａは、発光部１５０の端部に固定される固定部１２３と、第二開口５６（図２参照）に掛止する掛止片部１２５ａを有する。掛止片部１２５ａは、第二開口５６の周縁に引っ掛かるように突出した部分を有している。
【０１６２】
照明装置１００ｆを、器具本体５０に取り付ける場合、第二取付部１２０ａの掛止片部１２５ａを第二開口５６に掛止させ、その後、第一取付部１１０の一対の爪部１１５を弾性変形させながら、第一開口５５に掛止する。
【０１６３】
このように、照明装置１００ｆを器具本体５０に取り付けるための両端の構造の一方を、弾性を利用した構造とし、他方を、開口に引っ掛けるだけの単純な構造としてもよい。
【０１６４】
また、照明装置１００ｆにおいて、第二取付部１２０ａの側に駆動回路２００等の部品を配置する必要がない場合、第二取付部１２０ａは、少なくとも固定部１２３と掛止片部１２５ａとを有していればよい。
【０１６５】
このように、第二取付部１２０ａを単純な構造とすることで、例えば、第二取付部１２０ａの作製に用いられる樹脂の量を比較的に少なくすることができ、このことは、照明装置１００ｆの生産コスト等の観点から有利である。
【０１６６】
（実施の形態２）
上記実施の形態１に係る照明装置１００では、例えばガラス管である管状部材１５１に発光モジュール２０が収容されているが、発光モジュール２０を収容する筐体は様々な態様を採用し得る。
【０１６７】
そこで、実施の形態２として、基台とカバー部材とを有する筐体に発光モジュール２０が収容された照明装置１０１について、実施の形態１に係る照明装置１００との差分を中心に説明する。
【０１６８】
図１６は、実施の形態２に係る照明器具１１の外観を示す斜視図である。
【０１６９】
図１７は、実施の形態２に照明器具１１を、器具本体５０と照明装置１０１とに分離した状態で示す斜視図である。なお、図１７では、発光部１６０の内部構造を図示するために、カバー部材１６２を基台１６３から分離して図示している。
【０１７０】
図１８は、実施の形態２に係る発光部１６０及び第一取付部１３０の断面図である。具体的には、図１８では、図１６におけるＢ−Ｂ断面が図示されている。
【０１７１】
図１６及び図１７に示すように、本実施の形態に係る照明器具１１は、器具本体５０と、器具本体５０に取り付けられた照明装置１０１とを備える。照明器具１１は、例えば、屋内の天井面に配置され、下方の空間を照らすための照明として使用される。
【０１７２】
器具本体５０は、上記実施の形態１で説明したように、例えばＧ１３口金に対応した２つのソケットを有する一般的な蛍光ランプ用の器具本体からこれらソケットを取り外すことで得られている。具体的には、器具本体５０の配置面５１には、ソケットが内方から外方に向けて突出する状態で取り付けられていた第一開口５５と第二開口５６とが存在する。
【０１７３】
照明装置１０１は、器具本体５０の配置面５１側に取り付けられる照明装置である。照明装置１０１は、配置面５１に沿った方向に長尺状の発光部１６０を有し、発光部１６０は、１以上の発光素子２２を有する。なお、発光部１６０は、第一開口５５と第二開口５６とを結ぶ方向に長尺状である、と表現することもできる。
【０１７４】
発光部１６０は、長尺状の外装体１６１と、外装体１６１に収容された発光モジュール２０とを備える。外装体１６１は、発光モジュール２０を収容する長尺状の筐体の少なくとも一部を構成する部材である。本実施の形態では、外装体１６１は、金属製かつ長尺状の基台１６３と、基台１６３に配置された発光モジュール２０を覆うように設けられた、透光性を有するカバー部材１６２とを含む。
【０１７５】
基台１６３は、アルミニウム等の金属を素材とする部材であり、図１８に示すように、発光モジュール２０の基板２１の裏面と面接触した状態で、発光モジュール２０を支持する。そのため、基台１６３は、発光モジュール２０で発生した熱を効率よく放出するためのヒートシンクとして機能する。
【０１７６】
カバー部材１６２は、ＰＭＭＡまたはＰＣ等の透光性を有する樹脂で形成されており、例えば、シリカまたは炭酸カルシウム等の光拡散材を含有することで、光拡散機能を有している。
【０１７７】
なお、カバー部材１６２は、光拡散機能を有しなくてもよい。また、カバー部材１６２の素材としては、樹脂に限られず、例えばガラスが採用されてもよい。
【０１７８】
発光モジュール２０は、上記実施の形態１で説明したように、長尺状の基板２１と、基板２１に実装された複数の発光素子２２とを有する。本実施の形態では、発光モジュール２０は、発光素子２２として、固体発光素子の一例であるＳＭＤ型ＬＥＤ素子を有している。つまり、本実施の形態に係る照明装置１０１は、直管形ＬＥＤランプの一種である。
【０１７９】
このように複数のＬＥＤを光源として有する発光部１６０の長手方向の両端部には、照明装置１０１を器具本体５０に取り付けるための取付部が固定されている。
【０１８０】
具体的には、照明装置１０１は、発光部１６０の長手方向の両端部の一方の端部に固定された第一取付部１３０と、他方の端部に固定された第二取付部１４０とを備える。
【０１８１】
第一取付部１３０及び第二取付部１４０は、発光部１６０の、長手方向（Ｘ軸方向）と交差する方向の側方に固定されている。本実施の形態では、第一取付部１３０及び第二取付部１４０は、発光部１６０の、照明装置１０１が器具本体５０に取り付けられた場合における配置面５１の側（Ｚ軸正側）に固定されている。
【０１８２】
つまり、照明装置１０１が器具本体５０に取り付けられた場合、第一取付部１３０及び第二取付部１４０は、発光部１６０と器具本体５０との間に位置する。
【０１８３】
また、第一取付部１３０は、器具本体５０の配置面５１に設けられた第一開口５５に取り付けられ、第二取付部１４０は、器具本体５０の配置面５１に設けられた第二開口５６に取り付けられる。
【０１８４】
第一取付部１３０及び第二取付部１４０は、実施の形態１に係る第一取付部１１０及び第二取付部１２０と共通する構造を有している。
【０１８５】
具体的には、第一取付部１３０は第一開口５５に掛止するための爪部１３５を有しており、第二取付部１４０は第二開口５６に掛止するための爪部１４５を有している。爪部１３５は、弾性変形することで第一開口５５に挿入され、かつ、第一開口５５に掛止する。爪部１４５は、弾性変形することで第二開口５６に挿入され、かつ、第二開口５６に掛止する。つまり、照明装置１０１は、ネジ等の固定用の別部品を用いることなく器具本体５０に取り付けることが可能である。
【０１８６】
また、本実施の形態では、第一取付部１３０は、第一開口５５を介して供給される電力を受け取る受電部２０５（例えば、図６参照）を有している。第一取付部１３０はさらに、受電部２０５と電気的に接続され、発光部１６０に発光のための電力を供給する駆動回路２００を有している。
【０１８７】
本実施の形態に係る受電部２０５は、実施の形態１と同じく、駆動回路２００に実装された速結端子により実現されおり、受電部２０５は、第一開口５５から引き出された電線６０と電気的に接続されることで、第一開口５５を介して供給される電力を受け取る。これにより、駆動回路２００に電力が供給され、駆動回路２００は、発光部１６０に発光のための電力を供給することができる。
【０１８８】
なお、第一取付部１３０に収容された駆動回路２００には、上記実施の形態１と同じく、例えば商用電源から供給される交流電力が供給され、駆動回路２００は、発光モジュール２０に、変換後の直流電力を供給する。また、本実施の形態では、直管形ＬＥＤランプである照明装置１０１に対する給電方式として片側給電方式が採用されている（例えば、図７参照）。
【０１８９】
第一取付部１３０は、図１８に示すように、組み合わされることで駆動回路２００を収容する空間を形成する、第一収容部１３１及び第二収容部１３２を有する。なお、本実施の形態では、第二取付部１４０も同様に２つの箱体（第一収容部及び第二収容部）が組み合わされることで構成されている。
【０１９０】
第一取付部１３０の、発光部１６０側の面には、発光部１６０の端部に固定される固定部１３３が配置されており、第二取付部１４０の、発光部１６０側の面には、発光部１６０の端部に固定される固定部１４３が配置されている。
【０１９１】
以上説明したように、本実施の形態に係る照明装置１０１は、器具本体５０の配置面５１側に取り付けられる照明装置１０１であって、配置面５１に沿った方向に長尺状の発光部１６０と、発光部１６０の長手方向の両端部に固定される第一取付部１３０及び第二取付部１４０を備える。発光部１６０は、１以上の固体発光素子（発光素子２２）を有する。
【０１９２】
第一取付部１３０は、配置面５１に設けられた第一開口５５に取り付けられ、第二取付部１４０は、配置面５１に設けられた第二開口５６に取り付けられる。また、第一取付部１３０及び第二取付部１４０は、発光部１６０の、長手方向と交差する方向の側方に固定されており、第一取付部１３０は、第一開口５５を介して供給される電力を受け取る受電部２０５を有する。
【０１９３】
このように、本実施の形態に係る照明装置１０１は、上記実施の形態１に係る照明装置１００と共通する構造上の特徴を有している。これにより、例えば既存の照明器具が備える蛍光ランプを、直管形ＬＥＤランプである照明装置１０１に容易に置き換えることができる。
【０１９４】
なお、実施の形態２に係る照明装置１０１の構造は、図１６〜図１８によって示される構造に限定されない。そこで、照明装置１０１についての変形例を、図１９及び図２０を用いて説明する。
【０１９５】
（実施の形態２の変形例）
図１９は、実施の形態２の変形例に係る第一取付部１３０ａの分解斜視図である。
【０１９６】
図２０は、実施の形態２の変形例に係る第一取付部１３０ａの内部構造を示す図である。なお、図２０では、第一取付部１３０ａの一部を切り欠くことで、第一取付部１３０ａの内部が図示されている。
【０１９７】
なお、図１９及び図２０では、第一取付部１３０ａの内部に収容される駆動回路２００、及び、第一取付部１３０ａが固定される発光部１６０の図示は省略されている。
【０１９８】
図１９及び図２０に示す第一取付部１３０ａは、上記実施の形態２に係る第一取付部１３０に代えて照明装置１０１に備えられる部材である。
【０１９９】
図１９及び図２０に示すように、第一取付部１３０ａは、第一収容部１３１と第二収容部１３２とを有する。第一収容部１３１及び第二収容部１３２が組み合わされることで駆動回路２００を収容する空間が形成される。
【０２００】
第一収容部１３１には、電線孔１３１ａが設けられており、電線孔１３１ａに挿入された一対の電線６０（図１７参照）が駆動回路２００と接続される。また、第二収容部１３２には、駆動回路２００と発光部１６０とを接続するリード線を貫通させる貫通孔１３２ａが設けられている。
【０２０１】
第一収容部１３１と第二収容部１３２とは、突起１３６ａと、突起１３６ａが嵌め合わされる嵌合部１３６ｂとによって結合される。
【０２０２】
具体的には、図１９に示すように、第二収容部１３２に４つの嵌合部１３６ｂが設けられ、第一収容部１３１に４つの突起１３６ａが設けられている。なお、図１９では、第一収容部１３１の手前側（Ｙ軸負側）の面の２つの突起１３６ａが図示されているが、第一収容部１３１の奥側（Ｙ軸負側）の面にも２つの突起１３６ａが設けられている。
【０２０３】
本実施の形態では、これら複数組の突起１３６ａ及び嵌合部１３６ｂの、弾性変形を伴う嵌め合いにより、第一取付部１３０ａが組み立てられる。
【０２０４】
また、本変形例に係る第一取付部１３０ａはさらに、特徴的な構成要素として、組み合わされた状態の第一収容部１３１及び第二収容部１３２を第一開口５５（図１７参照）に取り付ける取付部材１３８を有している。
【０２０５】
取付部材１３８は、第二収容部１３２を支持する支持部１３８ｂ、及び、支持部１３８ｂに支持された第二収容部１３２と配置面５１（図１７参照）との間に第一収容部１３１が挟まれた状態で第一開口５５に掛止する爪部１３８ａを含む。
【０２０６】
本実施の形態では、例えば長尺状の金属板に対して折り曲げ等の加工を施すことで、図１８及び図１９に示すような、両端に爪部１３８ａを有する取付部材１３８が作製されている。なお、取付部材１３８の素材は金属に限定されず、例えば樹脂が取付部材１３８の素材として採用されてもよい。
【０２０７】
取付部材１３８は、具体的には、図２０に示すように、それぞれが爪部１３８ａを有する２本の脚が、第二収容部１３２に形成された取付孔１３２ｂを貫通し、支持部１３８ｂが第二収容部１３２に当接することで、第二収容部１３２を支持する。また、２つの爪部１３８ａのそれぞれは、第一収容部１３１に形成された爪孔１３１ｂから外方に露出する。
【０２０８】
外方に露出した２つの２つの爪部１３８ａの間の距離は、取付部材１３８が弾性変形することで狭められ、この状態で、２つの爪部１３８ａが第一開口５５に挿入される。その後、取付部材１３８の復元力により爪部１３８ａの間の距離が広げられ、その結果、２つの爪部１３８ａのそれぞれは第一開口５５に掛止する。
【０２０９】
このように、取付部材１３８は、支持部１３８ｂに支持された第二収容部１３２と、配置面５１との間に第一収容部１３１が挟まれた状態で、第一収容部１３１及び第二収容部１３２を第一開口５５に取り付けることができる。
【０２１０】
つまり、取付部材１３８は、第二収容部１３２を器具本体５０に対して直接的に取り付けることができる。
【０２１１】
ここで、実施の形態２に係る発光部１６０は、発光モジュール２０を収容する外装体１６１を有し、外装体１６１は、金属製かつ長尺状の基台１６３を含んでいる。そのため、発光部１６０の重量が比較的大きくなることも考えられる。
【０２１２】
本変形例に係る第一取付部１３０ａは、取付部材１３８によって、発光部１６０が固定される第二収容部１３２を、器具本体５０に対して直接的に取り付けることができる。つまり、発光部１６０の重量によって、第一収容部１３１と第二収容部１３２との結合部分（突起１３６ａ及び嵌合部１３６ｂ）に掛けられる負荷を低減させることができる。これにより、例えば発光部１６０の重量が比較的大きい場合であっても、照明装置１０１は、器具本体５０に対して安定的に取り付けられる。
【０２１３】
なお、本変形例では、第一取付部１３０ａが取付部材１３８を有する場合について説明したが、第二取付部１４０が取付部材１３８を有してもよい。つまり、発光部１６０の両端の取付部の少なくとも一方に本変形例に係る取付部材１３８が備えられることで、照明装置１０１の器具本体５０に対する安定性が向上される。
【０２１４】
（実施の形態の補足）
以上、本発明に係る照明装置について、実施の形態１及び２に基づいて説明したが、本発明は、上記の実施の形態１及び２並びにこれらの変形例に限定されるものではない。
【０２１５】
例えば、第一取付部１１０等の取付部の位置は、発光部１５０（１６０）と配置面５１との間に限定されない。例えば、発光部１５０（１６０）のＹ軸方向（例えば図１参照）の側方に取付部が固定されていてもよい。
【０２１６】
また、例えば、器具本体５０の２つの開口（５５、５６）に取り付けられる２つの取付部のＹ軸方向の両側のそれぞれに発光部１５０（１６０）が配置されてもよい。つまり、照明装置１００（１０１）は、複数の発光部１５０（１６０）を備えてもよい。
【０２１７】
また、例えば、発光部１５０（１６０）に発光のための電力を供給する駆動回路２００は、第一取付部１１０等の取付部とは別体の回路ケースに収容されてもよい。
【０２１８】
また、例えば、発光モジュール２０が有する発光素子２２は、ＳＭＤ型ＬＥＤ素子であるとしたが、これに限らない。例えば、ベアチップが基板上に直接実装されたＣＯＢ（Ｃｈｉｐ  Ｏｎ  Ｂｏａｒｄ）型の発光モジュールが、発光部１５０（１６０）に備えられてもよい。
【０２１９】
この場合、例えば、複数のＬＥＤチップを一括または個別に封止する封止部材であって、上述の黄色蛍光体等の波長変換材を含む封止部材を配置することで、複数のＬＥＤチップからの光の波長を所定の波長に変換させてもよい。
【０２２０】
また、発光モジュール２０が発光素子２２として採用とする固体発光素子はＬＥＤに限定されず、半導体レーザ、有機ＥＬ（Ｅｌｅｃｔｒｏ  Ｌｕｍｉｎｅｓｃｅｎｃｅ）、または無機ＥＬ等の固体発光素子が発光素子２２として採用されてもよい。
【０２２１】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【０２２２】
例えば、実施の形態１の変形例１〜６それぞれの特徴的な構造を、実施の形態２に係る照明装置１０１が採用してもよい。また、例えば、実施の形態２の変形例に係る第一取付部１３０ａの特徴的な構造を、実施の形態１に係る第一取付部１１０及び第二取付部１２０が採用してもよい。
【符号の説明】
【０２２３】
２０  発光モジュール
２２  発光素子
５０  器具本体
５１  配置面
５５  第一開口
５６  第二開口
６０、６０ａ  電線
１００、１００ａ、１００ｂ、１００ｃ、１００ｄ、１００ｅ、１００ｆ、１０１  照明装置
１１０、１３０、１３０ａ  第一取付部
１１１、１２１、１３１  第一収容部
１１２、１２２、１３２  第二収容部
１１５、１１７、１３５、１４５、１２５、１３８ａ  爪部
１１７ｂ、２０５  受電部
１２０、１２０ａ、１４０  第二取付部
１３８  取付部材
１３８ｂ  支持部
１５０、１５０ａ、１５０ｂ、１６０  発光部
１５１、１５１ａ  管状部材（筐体）
１６１  外装体（筐体）
１６２  カバー部材
１６３  基台
２００  駆動回路
２５０  センサ
２６０  受信機
【図１】
0006436382.tif 000002
【図２】
0006436382.tif 000003
【図３】
0006436382.tif 000004
【図４】
0006436382.tif 000005
【図５】
0006436382.tif 000006
【図６】
0006436382.tif 000007
【図７】
0006436382.tif 000008
【図８】
0006436382.tif 000009
【図９】
0006436382.tif 000010
【図１０】
0006436382.tif 000011
【図１１】
0006436382.tif 000012
【図１２Ａ】
0006436382.tif 000013
【図１２Ｂ】
0006436382.tif 000014
【図１３Ａ】
0006436382.tif 000015
【図１３Ｂ】
0006436382.tif 000016
【図１４Ａ】
0006436382.tif 000017
【図１４Ｂ】
0006436382.tif 000018
【図１５】
0006436382.tif 000019
【図１６】
0006436382.tif 000020
【図１７】
0006436382.tif 000021
【図１８】
0006436382.tif 000022
【図１９】
0006436382.tif 000023
【図２０】
0006436382.tif 000024